(57)【要約】      （修正有）【課題】取り揃え業務における薬品容器の紛失又は盗難を抑制するとともに作業者の手間を軽減することが可能な取り揃え支援システム等を提供する。【解決手段】取り揃え支援システムは、一又は複数の取り揃え対象薬品容器と取り揃え対象薬品容器各々の必要数とを示す取り揃えデータを取得する取得処理部と、取り揃えデータが示す取り揃え対象薬品容器が取り揃えられたかどうかを確認する取り揃え確認処理を実行する取り揃え確認処理部と、取り揃えデータが示す取り揃え対象薬品容器の中に、予め定められた制限条件を満たす薬品容器が含まれる場合に、取り揃え確認処理部による取り揃え確認処理の実行を制限可能な制限処理部とを備える。【選択図】図５
2019176982.tif 000002
【特許請求の範囲】
【請求項１】
一又は複数の取り揃え対象薬品容器と前記取り揃え対象薬品容器各々の必要数とを示す取り揃えデータを取得する取得処理部と、
前記取り揃えデータが示す前記取り揃え対象薬品容器が取り揃えられたかどうかを確認する取り揃え確認処理を実行する取り揃え確認処理部と、
前記取り揃えデータが示す前記取り揃え対象薬品容器の中に、予め定められた制限条件を満たす薬品容器が含まれる場合に、前記取り揃え確認処理部による前記取り揃え確認処理の実行を制限可能な制限処理部と、
を備える、取り揃え支援システム。
【請求項２】
前記制限条件には、いずれかの前記取り揃え対象薬品容器が予め定められた管理対象薬品容器に該当しない管理対象外薬品容器であること、が含まれる、
請求項１に記載の取り揃え支援システム。
【請求項３】
予め定められた管理対象薬品容器各々の在庫数を管理する在庫管理処理部を更に備え、
前記制限条件には、いずれかの前記取り揃え対象薬品容器が前記必要数に対して前記在庫数が不足している不足薬品容器であること、が含まれる、
請求項１又は請求項２に記載の取り揃え支援システム。
【請求項４】
前記取り揃え確認処理は、前記取り揃え対象薬品容器のうち予め定められた照合対象薬品容器について前記取り揃えデータと照合する照合処理を含み、
前記制限処理部は、前記取り揃え対象薬品容器のうち前記照合対象薬品容器についての前記照合処理の実行を制限する、
請求項１〜３のいずれかに記載の取り揃え支援システム。
【請求項５】
前記取り揃えデータが示す前記取り揃え対象薬品容器の中に前記不足薬品容器が含まれる場合に、前記不足薬品容器の補充を促す通知を行う補充通知処理部を更に備える、
請求項３に記載の取り揃え支援システム。
【請求項６】
前記取り揃えデータが示す前記取り揃え対象薬品容器の中に前記管理対象外薬品容器が含まれる場合に、前記管理対象外薬品容器がすでに取り揃えられているか否かを判定する判定処理部を更に備え、
前記制限処理部は、前記判定処理部により前記管理対象外薬品容器がすでに取り揃えられていると判定された場合は前記取り揃え確認処理部による前記取り揃え確認処理の実行を許可し、前記判定処理部により前記管理対象外薬品容器がまだ取り揃えられていないと判定された場合は前記取り揃え確認処理部による前記取り揃え確認処理の実行を禁止する、
請求項２に記載の取り揃え支援システム。
【請求項７】
前記判定処理部は、前記管理対象外薬品容器がすでに取り揃えられていることを示すユーザー操作が行われた場合に、前記管理対象外薬品容器がすでに取り揃えられていると判定する、
請求項６に記載の取り揃え支援システム。
【請求項８】
前記制限処理部は、前記取り揃えデータが示す前記取り揃え対象薬品容器の一覧の表示を制限可能であり、前記ユーザー操作が行われた場合に前記取り揃え対象薬品容器の一覧の表示を可能にする、
請求項７に記載の取り揃え支援システム。
【請求項９】
前記判定処理部は、前記管理対象外薬品容器に表示されている識別情報が読み取られた場合に、前記管理対象外薬品容器がすでに取り揃えられていると判定する、
請求項６〜８のいずれかに記載の取り揃え支援システム。
【請求項１０】
複数の薬品容器を収容可能であり、収容されている前記薬品容器の個数又は個数の変化を検出可能な計数部を含む薬品容器収容部を更に備え、
前記取り揃え確認処理は、前記計数部により検出される前記薬品容器の個数の変化に基づいて、前記取り揃え対象薬品容器のうちの前記薬品容器収容部に収容されている前記薬品容器が取り揃えられたかどうかを確認する処理を含む、
請求項１〜９のいずれかに記載の取り揃え支援システム。
【請求項１１】
前記取り揃え確認処理は、前記取り揃えデータが示す前記取り揃え対象薬品容器の識別情報と実際に取り揃えられた薬品容器の識別情報との照合結果に基づいて、前記取り揃え対象薬品容器が取り揃えられたかどうかを確認する処理を含む、
請求項１〜１０のいずれかに記載の取り揃え支援システム。
【請求項１２】
前記取り揃えデータが注射箋データであり、
前記取り揃え対象薬品容器は、注射薬が収容されたバイアル又はアンプルを含む、
請求項１〜１１のいずれかに記載の取り揃え支援システム。
【請求項１３】
一又は複数の取り揃え対象薬品容器と前記取り揃え対象薬品容器各々の必要数とを示す取り揃えデータを取得することと、
前記取り揃えデータが示す前記取り揃え対象薬品容器が取り揃えられたかどうかを確認する取り揃え確認処理を実行することと、
前記取り揃えデータが示す前記取り揃え対象薬品容器の中に、予め定められた制限条件を満たす薬品容器が含まれる場合に、前記取り揃え確認処理の実行を制限することと、
を含む、取り揃え支援方法。
【請求項１４】
一又は複数のプロセッサーに、
一又は複数の取り揃え対象薬品容器と前記取り揃え対象薬品容器各々の必要数とを示す取り揃えデータを取得することと、
前記取り揃えデータが示す前記取り揃え対象薬品容器が取り揃えられたかどうかを確認する取り揃え確認処理を実行することと、
前記取り揃えデータが示す前記取り揃え対象薬品容器の中に、予め定められた制限条件を満たす薬品容器が含まれる場合に、前記取り揃え確認処理の実行を制限することと、
を実行させる、取り揃え支援プログラム。
【請求項１５】
照合データによって照合対象として示された薬品容器について、照合の準備をしたことを受け付ける受付手段と、
照合の準備をしたことを前記受付手段が受け付けると、照合の準備をした薬品容器と前記照合データとを照合することが可能になる照合手段と、
を備える、照合支援システム。
【請求項１６】
一又は複数のプロセッサーを、
照合データによって照合対象として示された薬品容器について、照合の準備をしたことを受け付ける受付手段、及び
照合の準備をしたことを前記受付手段が受け付けると、照合の準備をした薬品容器と前記照合データとを照合することが可能になる照合手段、
として機能させる、照合支援プログラム。
【請求項１７】
照合データによって照合対象として示された薬品容器について、照合の準備をしたことを受け付ける受付手段と、
照合の準備をしたことを前記受付手段が受け付けると、前記照合データによって照合対象として示された薬品容器の一覧を表示することが可能になる表示手段と、
を備える、照合支援システム。
【請求項１８】
一又は複数のプロセッサーを、
照合データによって照合対象として示された薬品容器について、照合の準備をしたことを受け付ける受付手段、及び
照合の準備をしたことを前記受付手段が受け付けると、前記照合データによって照合対象として示された薬品容器の一覧を表示することが可能になる表示手段、
として機能させる、照合支援プログラム。
【請求項１９】
各種薬品容器の保管状況を記憶する記憶手段と、
照合データによって照合対象として示された薬品容器のうち、保管状況が未配置薬品を示す薬品容器について、照合の準備をしたことを受け付ける受付手段と、
照合の準備をしたことを前記受付手段が受け付けると、前記照合データによって照合対象として示された薬品容器のうち、保管状況が未配置薬品を示さない薬品容器と前記照合データとを照合することが可能になる照合手段と、
を備える、照合支援システム。
【発明の詳細な説明】
【技術分野】
【０００１】
本発明は、病院等の医療機関で行われる薬品の取り揃え業務を支援する取り揃え支援システム、取り揃え支援方法、取り揃え支援プログラム、照合支援システム、及び照合支援プログラムに関する。
【背景技術】
【０００２】
病院等の医療機関では、複数の薬品容器を取り揃える取り揃え業務が行われることがある。例えば、発行された注射箋に基づいて、当該注射箋に記された複数の薬品容器（バイアル、アンプル、輸液バッグなど）をそれぞれの保管場所から取り出して一箇所に（例えば、１つのトレイ上に）集める取り揃え業務が行われることがある。前記注射箋に基づいて取り揃えられた複数の薬品容器は、前記注射箋に記されているものと相違がないかチェックされた後、前記注射箋に対応する患者の元へと運ばれる。
【０００３】
医療現場における薬品の取り扱い負担を軽減するための装置として、薬品格納部から出庫された薬品を検出する機能を備え、注射箋データにおいて出庫指示されている薬品と薬品格納部から出庫された薬品とが異なっている場合に、不正な出庫が行われている旨を通知することが可能な薬品管理装置が知られている（例えば特許文献１参照）。
【先行技術文献】
【特許文献】
【０００４】
【特許文献１】特開２００６−６３５６号公報
【発明の概要】
【発明が解決しようとする課題】
【０００５】
ところで、取り揃え業務の作業者は、注射箋に複数の薬品容器が記されている場合、前記複数の薬品容器を１つずつ順番に保管場所から取り出して、最終的に全ての薬品容器を一箇所に集める必要がある。しかしながら、前記複数の薬品容器のうちの一部の薬品容器をすでに一箇所に集めた状態で、前記複数の薬品容器のうちの残りの薬品容器の中に在庫数が不足する薬品容器があることが判明した場合、当該薬品容器が補充されるまで取り揃え業務を完了することができない。よって、すでに一箇所に集められた薬品容器が長期間その場に放置されてしまい、紛失又は盗難が発生するおそれがある。
【０００６】
また、紛失又は盗難を防止するために、すでに一箇所に集められた薬品容器を元の保管場所に戻すことも考えられるが、その場合には、元の保管場所に戻すための手間が発生してしまう。
【０００７】
本発明の目的は、取り揃え業務における薬品容器の紛失又は盗難を抑制するとともに作業者の手間を軽減することが可能な取り揃え支援システム、取り揃え支援方法、取り揃え支援プログラム、照合支援システム、及び照合支援プログラムを提供することにある。
【課題を解決するための手段】
【０００８】
本発明に係る取り揃え支援システムは、一又は複数の取り揃え対象薬品容器と前記取り揃え対象薬品容器各々の必要数とを示す取り揃えデータを取得する取得処理部と、前記取り揃えデータが示す前記取り揃え対象薬品容器が取り揃えられたかどうかを確認する取り揃え確認処理を実行する取り揃え確認処理部と、前記取り揃えデータが示す前記取り揃え対象薬品容器の中に、予め定められた制限条件を満たす薬品容器が含まれる場合に、前記取り揃え確認処理部による前記取り揃え確認処理の実行を制限可能な制限処理部とを備える。
【０００９】
本発明に係る照合支援システムは、一又は複数の照合対象薬品容器を示す照合データを取得する取得処理部と、前記照合対象薬品容器のうち、特定条件を満たす薬品容器についての照合の準備ができていることを示すユーザー操作を受け付ける受付処理部と、前記受付処理部により前記ユーザー操作が受け付けられたことを条件として、前記照合対象薬品容器と前記照合データとの照合を行う照合処理部とを備える。
【００１０】
本発明に係る取り揃え支援方法は、一又は複数の取り揃え対象薬品容器と前記取り揃え対象薬品容器各々の必要数とを示す取り揃えデータを取得することと、前記取り揃えデータが示す前記取り揃え対象薬品容器が取り揃えられたかどうかを確認する取り揃え確認処理を実行することと、前記取り揃えデータが示す前記取り揃え対象薬品容器の中に、予め定められた制限条件を満たす薬品容器が含まれる場合に、前記取り揃え確認処理の実行を制限することとを含む。
【００１１】
本発明に係る取り揃え支援プログラムは、一又は複数のプロセッサーに、一又は複数の取り揃え対象薬品容器と前記取り揃え対象薬品容器各々の必要数とを示す取り揃えデータを取得することと、前記取り揃えデータが示す前記取り揃え対象薬品容器が取り揃えられたかどうかを確認する取り揃え確認処理を実行することと、前記取り揃えデータが示す前記取り揃え対象薬品容器の中に、予め定められた制限条件を満たす薬品容器が含まれる場合に、前記取り揃え確認処理の実行を制限することとを実行させる。
【００１２】
本発明に係る照合支援システムは、照合データによって照合対象として示された薬品容器について、照合の準備をしたことを受け付ける受付手段と、照合の準備をしたことを前記受付手段が受け付けると、照合の準備をした薬品容器と前記照合データとを照合することが可能になる照合手段とを備える。
【００１３】
本発明に係る照合支援プログラムは、一又は複数のプロセッサーを、照合データによって照合対象として示された薬品容器について、照合の準備をしたことを受け付ける受付手段、及び照合の準備をしたことを前記受付手段が受け付けると、照合の準備をした薬品容器と前記照合データとを照合することが可能になる照合手段として機能させる。
【００１４】
本発明に係る他の照合支援システムは、照合データによって照合対象として示された薬品容器について、照合の準備をしたことを受け付ける受付手段と、照合の準備をしたことを前記受付手段が受け付けると、前記照合データによって照合対象として示された薬品容器の一覧を表示することが可能になる表示手段とを備える。
【００１５】
本発明に係る他の照合支援プログラムは、一又は複数のプロセッサーを、照合データによって照合対象として示された薬品容器について、照合の準備をしたことを受け付ける受付手段、及び照合の準備をしたことを前記受付手段が受け付けると、前記照合データによって照合対象として示された薬品容器の一覧を表示することが可能になる表示手段として機能させる。
【００１６】
本発明に係るさらに他の照合支援システムは、各種薬品容器の保管状況を記憶する記憶手段と、照合データによって照合対象として示された薬品容器のうち、保管状況が未配置薬品を示す薬品容器について、照合の準備をしたことを受け付ける受付手段と、照合の準備をしたことを前記受付手段が受け付けると、前記照合データによって照合対象として示された薬品容器のうち、保管状況が未配置薬品を示さない薬品容器と前記照合データとを照合することが可能になる照合手段とを備える。
【発明の効果】
【００１７】
本発明によれば、取り揃え業務における薬品容器の紛失又は盗難を抑制するとともに作業者の手間を軽減することが可能な取り揃え支援システム、取り揃え支援方法、取り揃え支援プログラム、照合支援システム、及び照合支援プログラムが実現される。
【図面の簡単な説明】
【００１８】
【図１】図１は、本発明の実施形態に係る取り揃え支援システムの外観図である。
【図２】図２は、本発明の実施形態に係る取り揃え支援システムの外観図である。
【図３】図３は、本発明の実施形態に係る取り揃え支援システムの構成を示すブロック図である。
【図４】図４は、本発明の実施形態に係る取り揃え支援システムで用いられる管理対象薬品容器情報の一例を示す図である。
【図５】図５は、本発明の実施形態に係る取り揃え支援システムで実行される取り揃え支援処理の手順の一例を示すフローチャートである。
【図６】図６は、本発明の実施形態に係る取り揃え支援システムで実行される指示払出処理の手順の一例を示すフローチャートである。
【図７】図７は、本発明の実施形態に係る取り揃え支援システムで表示されるメインメニュー画面の一例を示す図である。
【図８】図８は、本発明の実施形態に係る取り揃え支援システムで表示される患者選択画面の一例を示す図である。
【図９】図９は、本発明の実施形態に係る取り揃え支援システムで表示される第１確認画面の一例を示す図である。
【図１０】図１０は、本発明の実施形態に係る取り揃え支援システムで印刷される注射薬不足票の一例を示す図である。
【図１１】図１１は、本発明の実施形態に係る取り揃え支援システムで表示される第２確認画面の一例を示す図である。
【図１２】図１２は、本発明の実施形態に係る取り揃え支援システムで表示される指示払出業務画面の一例を示す図である。
【図１３】図１３は、本発明の実施形態に係る取り揃え支援システムで表示される指示払出業務画面の一例を示す図である。
【図１４】図１４は、本発明の実施形態に係る取り揃え支援システムで表示される指示払出業務画面の一例を示す図である。
【発明を実施するための形態】
【００１９】
以下添付図面を参照しながら、本発明の実施形態について説明し、本発明の理解に供する。なお、以下の実施形態は、本発明を具体化した一例であって、本発明の技術的範囲を限定するものではない。
【００２０】
図１〜図３に示すように、本発明の実施形態に係る取り揃え支援システム１は、本体ユニット１０及び薬品容器収容ユニット５０を備える。
【００２１】
図１に示されるように、前記本体ユニット１０は、操作パネル１１、バーコードリーダー１２、指静脈認証装置１３、プリンター１４、薬品容器収容部１５を備える。前記薬品容器収容部１５には、シャッター式の扉１５１が設けられている。
【００２２】
前記操作パネル１１は、表示部１１１及びタッチパネル１１２を備える（図３参照）。前記表示部１１１は、後述する制御部１６（図３参照）からの制御信号に基づいて、後述するメインメニュー画面Ｐ１（図７参照）、患者選択画面Ｐ２（図８参照）、第１確認画面Ｐ３（図９参照）、第２確認画面Ｐ４（図１１参照）、指示払出業務画面Ｐ５（図１２参照）などの各種画面を表示する。前記表示部１１１は、例えば、液晶ディスプレイ、有機ＥＬディスプレイなどである。前記タッチパネル１１２は、前記表示部１１１に表示される前記各種画面に対する入力操作を受け付ける。なお、他の実施形態では、前記入力操作を受け付けるための操作部として、キーボード、マウス（ポインティングデバイス）などが設けられてもよい。また、前記入力操作を受け付けるための操作部として、音声認識により各種情報の入力を受け付ける音声入力装置が設けられてもよい。
【００２３】
前記バーコードリーダー１２は、注射箋、薬品容器Ｍなどに表示されているバーコードを読み取ることが可能である。
【００２４】
前記指静脈認証装置１３は、予め登録した担当者以外の人物が前記本体ユニット１０を不正に操作することができないように、前記本体ユニット１０を操作する作業者を認証することが可能である。前記指静脈認証装置１３により認証された人物のみが、前記本体ユニット１０にログインすることができる。なお、前記指静脈認証装置１３による静脈認証の代わりに、パスワードによる認証、ＩＤカードによる認証、静脈認証以外の生体認証（例えば、指紋認証、顔認証、虹彩認証、声紋認証など）などの任意の認証方式が用いられてもよい。
【００２５】
前記プリンター１４は、前記制御部１６からの制御信号に基づいて、後述する注射薬不足票Ｓｈ（図１０参照）などの任意の情報を紙などのシートに印刷することが可能である。
【００２６】
図１に示されるように、前記薬品容器収容ユニット５０は、薬品容器収容部５５を備える。前記薬品容器収容部５５には、シャッター式の扉５５１が設けられている。
【００２７】
図１は、前記扉１５１及び前記扉５５１を閉めた状態の前記取り揃え支援システム１を示しており、図２は、前記扉１５１及び前記扉５５１を開けた状態の前記取り揃え支援システム１を示している。
【００２８】
図２に示されるように、前記本体ユニット１０の前記薬品容器収容部１５には、複数の薬品容器Ｍが収容されている。同様に、前記薬品容器収容ユニット５０の前記薬品容器収容部５５にも、複数の薬品容器Ｍが収容されている。前記薬品容器収容部１５及び前記薬品容器収容部５５には、アンプル、バイアル、箱、キット、プレフィルシリンジ、輸液ボトル、ソフトバッグ、ＰＴＰシートなどの任意の形状の薬品容器Ｍを収容可能である。前記薬品容器Ｍには、注射薬、輸液、内服薬、外用薬など、任意の種類及び任意の剤形の薬品が収容されてもよい。
【００２９】
前記薬品容器収容部１５及び前記薬品容器収容部５５には、一又は複数のトレイ棚２１を取り付け可能となっている。前記トレイ棚２１各々には、薬品容器Ｍを収容したトレイ２２を載置可能である。
【００３０】
前記トレイ棚２１各々には、計数部２１１とＬＥＤ２１２とが設けられている（図３参照）。前記計数部２１１は、前記トレイ２２に収容される薬品容器Ｍの種類ごとに設けられる。前記計数部２１１は、対応する種類の薬品容器Ｍの個数を検出することが可能である。前記計数部２１１による前記薬品容器Ｍの個数の検出手法としては、任意の手法（例えば、電気的手法、磁気的手法、光学的手法など）を用いることができる。前記ＬＥＤ２１２は、前記トレイ２２に収容される薬品容器Ｍの種類ごとに設けられる。前記ＬＥＤ２１２は、前記制御部１６からの制御信号に基づいて点灯し、前記トレイ２２から取り出すべき薬品容器Ｍの収容位置、前記トレイ２２に補充すべき薬品容器Ｍの収容位置などを作業者に示す。なお、国際公開第２０１１／０４９１６７号公報には、前記計数部２１１及び前記ＬＥＤ２１２を備える前記トレイ棚２１の構成の一例が開示されている。なお、他の実施形態では、前記計数部２１１が、前記薬品容器Ｍの個数ではなく、前記薬品容器Ｍの個数の変化（すなわち、増加した個数又は減少した個数）を検出可能なものであってもよい。
【００３１】
前記薬品容器収容部１５には、電子ロック部１５２が設けられている（図３参照）。前記電子ロック部１５２は、前記制御部１６からの制御信号に応じて前記扉１５１を施錠又は解錠することが可能である。前記扉１５１が閉じている状態で前記電子ロック部１５２により前記扉１５１が施錠されると、前記扉１５１を開くことができない状態（ロック状態）となり、前記薬品容器収容部１５に収容されている薬品容器Ｍの取り出しが不可能となる。前記電子ロック部１５２により前記扉１５１が解錠されると、前記扉１５１を開くことが可能な状態（アンロック状態）となり、前記薬品容器収容部１５に収容されている薬品容器Ｍの取り出しが可能となる。
【００３２】
同様に、前記薬品容器収容部５５には、電子ロック部５５２が設けられている（図３参照）。前記電子ロック部５５２は、前記制御部１６からの制御信号に応じて前記扉５５１を施錠又は解錠することが可能である。前記扉５５１が閉じている状態で前記電子ロック部５５２により前記扉５５１が施錠されると、前記扉５５１を開くことができない状態（ロック状態）となり、前記薬品容器収容部１５に収容されている薬品容器Ｍの取り出しが不可能となる。前記電子ロック部５５２により前記扉５５１が解錠されると、前記扉５５１を開くことが可能な状態（アンロック状態）となり、前記薬品容器収容部１５に収容されている薬品容器Ｍの取り出しが可能となる。
【００３３】
図３に示されるように、前記本体ユニット１０は、制御部１６、記憶部１７、及び通信ＩＦ１８を備える。
【００３４】
前記制御部１６は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１６は、前記ＣＰＵを用いて、前記ＲＯＭ、前記ＥＥＰＲＯＭ、又は前記記憶部１７に予め記憶された各種の制御プログラムに従って各種の処理を実行する。
【００３５】
前記記憶部１７は、前記制御部１６によって実行される各種のアプリケーションプログラム及び各種のデータが記憶されるハードディスク又はＳＳＤ等の不揮発性の記憶部である。
【００３６】
前記記憶部１７には、後述の取り揃え支援処理（図５及び図６参照）を前記制御部１６に実行させるための取り揃え支援プログラムが記憶される。前記取り揃え支援プログラムは、前記取り揃え支援プログラムが記録されたコンピュータ読み取り可能な記録媒体（例えば、ＣＤ、ＤＶＤ、ＢＤ、又はＵＳＢメモリなど）から不図示のドライブ装置により読み取られて、前記記憶部１７にインストールされてもよい。もしくは、前記取り揃え支援プログラムは、後述の通信ＩＦ１８を通じて外部機器から受信されて、前記記憶部１７にインストールされてもよい。
【００３７】
前記記憶部１７には、薬品マスター、患者マスターなどの各種のマスター情報が記憶されてもよい。例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項などの情報が含まれる。前記患者マスターには、各患者について、例えば患者名、患者ＩＤ、性別、年齢、飲酒有無、喫煙有無、及び病名などの情報が含まれる。
【００３８】
前記記憶部１７には、管理対象薬品容器情報Ｄ１などの各種の情報が記憶される。図４は、前記管理対象薬品容器情報Ｄ１の一例を示す図である。前記管理対象薬品容器情報Ｄ１には、管理対象薬品容器に関する情報が含まれている。前記管理対象薬品容器は、病院などの医療機関に保管されている全ての薬品容器Ｍのうち、前記取り揃え支援システム１により在庫数が管理されている薬品容器Ｍである。
【００３９】
以下では、前記取り揃え支援システム１が医療機関内の特定病棟に設置されており、前記特定病棟内に保管されている薬品容器Ｍの在庫数が前記取り揃え支援システム１により管理されている場合について説明する。この場合、前記特定病棟内に保管されている薬品容器Ｍが前記管理対象薬品容器となる。そして、前記特定病棟外に保管されている薬品容器Ｍ（例えば、薬剤部又は他の病棟に保管されている薬品容器Ｍ）は、前記取り揃え支援システム１により在庫数が管理されていない管理対象外薬品容器となる。以下では、前記管理対象外薬品容器を、未配置薬品と称することがある。なお、前記未配置薬品が、前記特定病棟内に保管されていてもよい。例えば、前記未配置薬品が、前記特定病棟内の任意の場所に保管されている薬品容器Ｍであってもよい。また、前記未配置薬品が、前記薬品容器収容部１５又は前記薬品容器収容部５５に保管されているけれども在庫数は管理されていない薬品容器Ｍであってもよい。
【００４０】
図４に示されるように、前記管理対象薬品容器情報Ｄ１には、前記管理対象薬品容器ごとに、対応する「薬品識別情報」、「薬品名」、「区分」、「在庫数」などの情報が含まれる。前記「薬品識別情報」は、前記管理対象薬品容器を識別するための識別情報である。前記「薬品名」は、前記管理対象薬品容器の名称である。
【００４１】
前記「区分」は、前記管理対象薬品容器において、前記計数部２１１により在庫数が計数される薬品容器Ｍ（以下、機械薬品と称することがある）とその他の薬品容器Ｍ（以下、手払出薬品と称することがある）とを区別するための情報である。前記機械薬品は、前記管理対象薬品容器のうち、前記トレイ棚２１に載置された前記トレイ２２内に保管される薬品容器Ｍである。前記手払出薬品は、前記管理対象薬品容器のうち、前記トレイ２２以外の任意の保管場所（例えば、前記特定病棟内の任意の保管場所）に保管される薬品容器Ｍである。
【００４２】
前記「在庫数」は、前記取り揃え支援システム１で管理されている前記管理対象薬品容器の個数である。前記管理対象薬品容器のうちの前記機械薬品については、前記計数部２１１による計数結果に基づいて、前記制御部１６により前記「在庫数」が自動的に更新される。一方、前記管理対象薬品容器のうちの前記手払出薬品については、前記保管場所から取り出される際又は前記保管場所に補充される際に、前記手払出薬品に表示されているバーコードの読み取り結果又は作業者による手入力に基づいて、前記制御部１６により前記「在庫数」が更新される。
【００４３】
前記通信ＩＦ１８は、ＬＡＮ又はインターネットなどの通信網を介して、例えば、注射箋データなどを管理する管理装置、薬剤部に設置されたプリンターなどの外部機器との間で、予め定められた通信プロトコルに従って無線又は有線でデータ通信を実行するネットワークカード等を有する通信インターフェースである。
【００４４】
前記制御部１６は、在庫管理処理部１６１、取得処理部１６２、取り揃え確認処理部１６３、制限処理部１６４、補充通知処理部１６５、判定処理部１６６、及び出力処理部１６７を含む。具体的に、前記制御部１６は、前記取り揃え支援プログラムに従って各種の処理を実行することにより、前記在庫管理処理部１６１、前記取得処理部１６２、前記取り揃え確認処理部１６３、前記制限処理部１６４、前記補充通知処理部１６５、前記判定処理部１６６、及び前記出力処理部１６７として機能する。なお、在庫管理処理部１６１、取得処理部１６２、取り揃え確認処理部１６３、制限処理部１６４、補充通知処理部１６５、判定処理部１６６、及び出力処理部１６７の少なくとも一部が、ＡＳＩＣのような電子回路として構成されてもよい。また、前記制御部１６が複数のプロセッサーを含み、前記複数のプロセッサーによって前記取り揃え支援プログラムが実行されてもよい。
【００４５】
なお、他の実施形態では、前記取り揃え支援プログラムが、パーソナルコンピュータのような情報処理装置の制御部によって実行されてもよい。この場合、前記情報処理装置は、本発明の取り揃え支援システムに相当する。また、前記在庫管理処理部１６１、前記取得処理部１６２、前記取り揃え確認処理部１６３、前記制限処理部１６４、前記補充通知処理部１６５、前記判定処理部１６６、及び前記出力処理部１６７が、例えば、ＬＡＮ又はインターネットなどの通信網を介して通信可能に接続された複数の装置に分散して設けられてもよい。この場合、これらの複数の装置が、本発明の取り揃え支援システムに相当する。
【００４６】
前記在庫管理処理部１６１は、前記管理対象薬品容器各々の在庫数を管理する。具体的に、前記管理対象薬品容器のうちの前記機械薬品については、前記在庫管理処理部１６１は、前記計数部２１１による計数結果に基づいて、前記機械薬品各々の在庫数を更新する。また、前記管理対象薬品容器のうちの前記手払出薬品については、前記在庫管理処理部１６１は、前記保管場所から取り出される際又は前記保管場所に補充される際に、前記手払出薬品に表示されているバーコードの読み取り結果又は作業者による手入力に基づいて、前記手払出薬品各々の在庫数を更新する。
【００４７】
前記取得処理部１６２は、一又は複数の取り揃え対象薬品容器と前記取り揃え対象薬品容器各々の必要数とを示す取り揃えデータを取得する。前記取り揃えデータは、例えば、注射箋データ、処方データ、機械薬品データ、手払出薬品データ、未配置薬品データ、手術データなどである。以下では、前記取り揃えデータが注射箋データである場合について説明する。
【００４８】
前記取得処理部１６２は、例えば、注射箋データを管理する管理装置からＬＡＮ又はインターネットなどの通信網及び前記通信ＩＦ１８を通じて注射箋データを受信する。前記注射箋データには、一又は複数の取り揃え対象薬品容器（例えば、アンプル、バイアル、輸液バッグなど）と前記取り揃え対象薬品容器各々の必要数とを示す情報が含まれている。
【００４９】
前記取り揃え確認処理部１６３は、前記注射箋データが示す前記取り揃え対象薬品容器が取り揃えられたかどうかを確認する取り揃え確認処理を実行する。前記取り揃え確認処理では、前記取り揃え対象薬品容器が取り揃えられたかどうかが、前記取り揃え対象薬品容器ごとに順次に確認される。
【００５０】
具体的に、前記取り揃え対象薬品容器が前記機械薬品（すなわち、前記薬品容器収容部１５又は前記薬品容器収容部５５内の前記トレイ２２に保管されている薬品容器Ｍ）である場合、作業者が前記トレイ２２から前記機械薬品を取り出すと、当該機械薬品に対応する前記計数部２１１により検出される前記機械薬品の個数が減る。よって、前記取り揃え確認処理部１６３は、前記計数部２１１により検出される前記機械薬品の個数の変化に基づいて、前記取り揃え対象薬品容器のうちの前記機械薬品が取り揃えられたかどうかを確認することができる。
【００５１】
一方、前記取り揃え対象薬品容器が前記機械薬品以外の薬品容器Ｍ（すなわち、前記手払出薬品又は前記管理対象外薬品容器）である場合、前記取り揃え確認処理部１６３は、前記注射箋データが示す前記取り揃え対象薬品容器の識別情報と実際に取り揃えられた薬品容器Ｍの識別情報との照合結果に基づいて、前記取り揃え対象薬品容器が取り揃えられたかどうかを確認する。すなわち、前記取り揃え確認処理には、前記取り揃え対象薬品容器のうち予め定められた照合対象薬品容器（例えば、前記手払出薬品又は前記管理対象外薬品容器）について前記取り揃えデータと照合する照合処理が含まれてもよい。実際に取り揃えられた薬品容器Ｍの識別情報は、例えば、前記薬品容器Ｍに表示されているバーコード（前記薬品容器Ｍの識別情報を示すバーコード）をバーコードリーダー１２で読み取ることによって取得される。なお、他の実施形態では、実際に取り揃えられた薬品容器Ｍの識別情報（例えば、薬品コード又は薬品名など）が、操作パネル１１を通じて作業者により手入力されてもよい。
【００５２】
なお、他の実施形態では、前記取り揃え対象薬品容器が前記機械薬品である場合においても、前記取り揃え確認処理部１６３は、前記注射箋データが示す前記取り揃え対象薬品容器の識別情報と実際に取り揃えられた薬品容器Ｍの識別情報との照合結果に基づいて、前記取り揃え対象薬品容器が取り揃えられたかどうかを確認してもよい。
【００５３】
前記制限処理部１６４は、前記取り揃えデータが示す前記取り揃え対象薬品容器の中に、予め定められた制限条件を満たす薬品容器Ｍが含まれる場合に、前記取り揃え確認処理部１６３による前記取り揃え確認処理の実行を制限可能である。前記制限条件には、いずれかの前記取り揃え対象薬品容器が前記管理対象外薬品容器であること、が含まれてもよい。また、前記制限条件には、いずれかの前記取り揃え対象薬品容器が不足薬品容器（すなわち、前記注射箋データが示す必要数に対して前記在庫管理処理部１６１で管理されている在庫数が不足している前記管理対象薬品容器）であること、が含まれてもよい。
【００５４】
本実施形態では、前記制限処理部１６４は、前記注射箋データが示す前記取り揃え対象薬品容器の中に、前記不足薬品容器又は前記管理対象外薬品容器が含まれる場合に、前記取り揃え確認処理部１６３による前記取り揃え確認処理の実行を制限可能である。例えば、前記制限処理部１６４は、前記取り揃え対象薬品容器のうち前記照合対象薬品容器（例えば、前記手払出薬品又は前記管理対象外薬品容器）についての前記照合処理の実行を制限してもよい。
【００５５】
なお、他の実施形態では、前記制限処理部１６４は、前記注射箋データが示す前記取り揃え対象薬品容器の中に、特定の保管場所に保管されている薬品容器Ｍ（例えば、本体ユニット１０が設置されている部屋とは別の部屋に保管されている薬品容器Ｍなど）又は特定の保管形態で保管されている薬品容器Ｍ（例えば、管理者によって保管されている鍵を使わなければ解錠できない金庫ユニット内に保管されている薬品容器など）が含まれている場合に、前記取り揃え確認処理部１６３による前記取り揃え確認処理の実行を制限可能であってもよい。
【００５６】
なお、他の実施形態では、前記制限処理部１６４は、電子ロック部１５２又は電子ロック部５５２を制御して扉１５１又は扉５５１をロックして、物理的に薬品容器Ｍを取り出すことができないようにして、前記取り揃え確認処理を行えないようにしてもよい。もしくは、前記制限処理部１６４は、バーコードリーダー１２によるバーコードの読み取りをできないようにして、前記取り揃え確認処理を行えないようにしてもよい。また、制限処理部１６４は、前記取り揃え対象薬品の中に前記不足薬品容器が含まれているにも関わらず、前記機械薬品の取り出しが行われた場合に、取り揃え業務を中止して前記機械薬品を元の位置に戻すように操作パネル１１又は音声により作業者に警告してもよい。
【００５７】
前記補充通知処理部１６５は、前記処方箋データが示す前記取り揃え対象薬品容器の中に前記不足薬品容器が含まれる場合に、前記不足薬品容器の補充を促す通知を行う。具体的に、前記補充通知処理部１６５は、図９に示される第１確認画面Ｐ３を操作パネル１１に表示させる。なお、前記補充通知処理部１６５による通知方法は、操作パネル１１による通知に限らず、例えば、音声メッセージによる通知であってもよい。
【００５８】
前記判定処理部１６６は、前記注射箋データが示す前記取り揃え対象薬品容器の中に前記管理対象外薬品容器が含まれる場合に、前記管理対象外薬品容器がすでに取り揃えられているか否かを判定する。具体的に、前記判定処理部１６６は、前記管理対象外薬品容器（未配置薬品）がすでに取り揃えられていることを示すユーザー操作（例えば、図１１に示される第２確認画面Ｐ４における操作キーＫ４１の操作）が行われた場合に、前記管理対象外薬品容器がすでに取り揃えられていると判定する。なお、他の実施形態では、前記判定処理部１６６は、前記管理対象外薬品容器に表示されている識別情報が読み取られた場合（例えば、前記管理対象外薬品容器に表示されている、前記識別情報を示すバーコードが読み取られた場合）に、前記管理対象外薬品容器がすでに取り揃えられていると判定してもよい。
【００５９】
前記判定処理部１６６により前記管理対象外薬品容器がすでに取り揃えられていると判定された場合、前記制限処理部１６４は、前記取り揃え確認処理部１６３による前記取り揃え確認処理の実行を許可する。この場合、図１２に示される指示払出業務画面Ｐ５が操作パネル１１に表示され、前記取り揃え確認処理が実行される。なお、前記制限処理部１６４は、前記注射箋データが示す前記取り揃え対象薬品容器の一覧（図１２参照）の表示を制限可能である。すなわち、前記制限処理部１６４は、前記管理対象外薬品容器（未配置薬品）がすでに取り揃えられていることを示す前記ユーザー操作が行われた場合に、前記取り揃え対象薬品容器の一覧（図１２参照）の表示を可能にする。これにより、前記管理対象外薬品容器（未配置薬品）がまだ取り揃えられていないにも関わらず、作業者が前記取り揃え対象薬品容器の一覧を見て前記取り揃え対象薬品容器の取り揃え作業を開始してしまうことを防止することができる。
【００６０】
一方、前記判定処理部１６６により前記管理対象外薬品容器がまだ取り揃えられていないと判定された場合（例えば、図１１に示される第２確認画面Ｐ４における操作キーＫ４２が操作された場合）、前記制限処理部１６４は、前記取り揃え確認処理部１６３による前記取り揃え確認処理の実行を禁止する。この場合、図１２に示される指示払出業務画面Ｐ５の代わりに、図７に示されるメインメニュー画面Ｐ１が操作パネル１１に表示される。よって、前記取り揃え確認処理は実行されない。
【００６１】
前記出力処理部１６７は、前記注射箋データが示す前記取り揃え対象薬品容器の中に前記不足薬品容器が含まれる場合に、前記不足薬品容器の種類及び不足数を示す情報を出力する。具体的に、前記出力処理部１６７は、プリンター１４を制御して、前記不足薬品容器の種類及び不足数を示す情報（例えば、図１０に示される注射薬不足票Ｓｈ）をシートにプリントする。なお、図１０に示される注射薬不足票Ｓｈには、前記不足薬品容器の種類及び不足数を示す情報に加えて、前記管理対象外薬品容器の種類及び必要数を示す情報も示されている。なお、他の実施形態では、前記出力処理部１６７は、前記不足薬品容器の種類及び不足数を示す情報を、ＬＡＮ又はインターネットなどの通信網を介して接続される外部機器（例えば、薬剤部に設置されたプリンター又はパーソナルコンピュータ）に送信してもよい。また、前記出力処理部１６７は、前記不足薬品容器の種類及び不足数を示す情報を操作パネル１１に表示させてもよい。また、前記出力処理部１６７は、前記不足薬品容器の種類及び不足数を示す情報を音声として出力してもよい。
【００６２】
前記出力処理部１６７は、前記判定処理部１６６により前記管理対象外薬品容器がまだ取り揃えられていないと判定された場合（例えば、図１１に示される第２確認画面Ｐ４における操作キーＫ４２が操作された場合）に、前記管理対象外薬品容器の種類及び必要数を示す情報を出力する。具体的に、前記出力処理部１６７は、プリンター１４を制御して、前記管理対象外薬品容器の種類及び必要数を示す情報（例えば、図１０に示される注射薬不足票Ｓｈ）をシートにプリントする（図１０参照）。なお、他の実施形態では、前記出力処理部１６７は、前記管理対象外薬品容器の種類及び必要数を示す情報を、ＬＡＮ又はインターネットなどの通信網を介して接続される外部機器（例えば、薬剤部に設置されたプリンター又はパーソナルコンピュータ）に送信してもよい。また、前記出力処理部１６７は、前記管理対象外薬品容器の種類及び必要数を示す情報を操作パネル１１に表示させてもよい。また、前記出力処理部１６７は、前記管理対象外薬品容器の種類及び必要数を示す情報を音声として出力してもよい。
【００６３】
［取り揃え支援処理］
次に、図５及び図６を参照しつつ、前記本体ユニット１０の前記制御部１６によって実行される前記取り揃え支援処理の一例について説明する。前記取り揃え支援処理は、例えば、作業者が前記操作パネル１１をタッチしたことに応じて開始される。なお、本発明は、前記取り揃え支援処理を実行することによって薬品容器Ｍの取り揃え業務を支援する取り揃え支援方法の発明として捉えてもよい。
【００６４】
＜ステップＳ１１＞
まず、ステップＳ１１において、前記制御部１６は、前記操作パネル１１にメインメニュー画面Ｐ１を表示させる。図７は、前記メインメニュー画面Ｐ１の一例を示す図である。前記メインメニュー画面Ｐ１には、ログイン中ユーザー表示領域Ａ１、メッセージ表示領域Ａ２、操作キーＫ１１などが含まれる。前記ログイン中ユーザー表示領域Ａ１には、ログイン中のユーザー（すなわち、薬品容器Ｍの取り揃え業務を行う作業者）の名前が表示される。ただし、図７の例では、まだユーザー認証は行われておらず、前記ログイン中ユーザー表示領域Ａ１にはユーザー名は表示されていない。前記メインメニュー画面Ｐ１において前記操作キーＫ１１が操作されると、前記制御部１６は、処理をステップＳ１２に移行させる。
【００６５】
なお、前記メインメニュー画面Ｐ１には前記操作キーＫ１１以外の操作キーも含まれる。しかしながら、前記操作キーＫ１１以外の操作キーについては、前記取り揃え支援処理とは関連しないため、ここでは説明を省略する。
【００６６】
＜ステップＳ１２＞
ステップＳ１２において、前記制御部１６は、前記操作パネル１１に患者選択画面Ｐ２を表示させる。図８は、前記患者選択画面Ｐ２の一例を示す図である。前記患者選択画面Ｐ２には、前記ログイン中ユーザー表示領域Ａ１、前記メッセージ表示領域Ａ２、操作キーＫ２１、操作キーＫ２２などが含まれる。
【００６７】
前記操作キーＫ２１は、前記取り揃え業務の対象となる注射箋を特定する注射箋番号を手入力する際に操作される操作キーである。前記操作キーＫ２２は、手入力された前記注射箋番号を確定させる際に操作される操作キーである。
【００６８】
＜ステップＳ１３＞
ステップＳ１３において、前記制御部１６は、前記取り揃え業務の対象となる注射箋を特定する注射箋番号を取得する。例えば、前記制御部１６は、前記操作キーＫ２２が操作された場合に、すでに手入力されている前記注射箋番号を、前記取り揃え業務の対象となる注射箋を特定する注射箋番号として確定させる。もしくは、前記制御部１６は、注射箋に表示されているバーコード（注射箋番号の情報を含むバーコード）がバーコードリーダー１２で読み取られた場合に、当該バーコードに含まれている注射箋番号を取得する。
【００６９】
＜ステップＳ１４＞
ステップＳ１４において、前記制御部１６は、前記ステップＳ１３で取得された前記注射箋番号に対応する注射箋データを取得する。例えば、前記制御部１６は、注射箋データを管理する管理装置に対して、ＬＡＮ又はインターネットなどの通信網を通じて前記注射箋番号を送信する。そして、前記制御部１６は、前記注射箋番号に対応する注射箋データを前記管理装置から受信する。前記注射箋データには、一又は複数の取り揃え対象薬品容器の情報と、前記取り揃え対象薬品容器各々の必要数の情報とが含まれている。当該ステップＳ１４の処理は、前記制御部１６の前記取得処理部１６２により実行される。
【００７０】
＜ステップＳ１５＞
ステップＳ１５において、前記制御部１６は、前記ステップＳ１４で取得された前記注射箋データが示す前記取り揃え対象薬品容器の中に、前記不足薬品容器（すなわち、前記注射箋データが示す必要数に対して在庫数が不足している前記管理対象薬品容器）が含まれるか否かを判断する。そして、前記取り揃え対象薬品容器の中に前記不足薬品容器が含まれると判断されると（Ｓ１５：Ｙｅｓ）、前記制御部１６は、処理をステップＳ１６に移行させる。一方、前記取り揃え対象薬品容器の中に前記不足薬品容器が含まれないと判断されると（Ｓ１５：Ｎｏ）、前記制御部１６は、処理をステップＳ１８に移行させる。
【００７１】
＜ステップＳ１６＞
ステップＳ１６において、前記制御部１６は、前記操作パネル１１に第１確認画面Ｐ３を表示させる。図９は、前記第１確認画面Ｐ３の一例を示す図である。前記第１確認画面Ｐ３には、前記不足薬品容器の補充を促すメッセージと、操作キーＫ３１とが含まれる。当該ステップＳ１６の処理は、前記制御部１６の前記制限処理部１６４及び前記補充通知処理部１６５により実行される。
【００７２】
なお、他の実施形態では、前記注射箋データが示す前記取り揃え対象薬品容器の中に、前記不足薬品容器に加えて前記未配置薬品も含まれる場合に、前記制御部１６は、前記不足薬品容器の補充を促すとともに前記未配置薬品を取り揃えることを促すメッセージを操作パネル１１又は音声により作業者に通知してもよい。
【００７３】
前記第１確認画面Ｐ３において前記操作キーＫ３１が操作されると、前記制御部１６は、処理をステップＳ１７に移行させる。
【００７４】
＜ステップＳ１７＞
ステップＳ１７において、前記制御部１６は、プリンター１４を制御して、前記不足薬品容器の種類及び不足数を示す情報をシートにプリントする。例えば、前記制御部１６は、図１０に示される注射薬不足票Ｓｈをプリンター１４から出力させる。これにより、作業者は、前記注射薬不足票を見ながら、前記不足薬品容器が保管されている保管場所（例えば、薬剤部又は他の病棟など）から前記不足薬品容器を取ってきて、前記トレイ２２などに補充することができる。当該ステップＳ１７の処理は、前記制御部１６の前記出力処理部１６７により実行される。
【００７５】
なお、前記制御部１６は、前記不足薬品容器の種類及び不足数を示す情報を、ＬＡＮ又はインターネットなどの通信網を通じて、薬剤部に設置されているプリンター又はパーソナルコンピュータに送信してもよい。これにより、薬剤部にいる薬剤師は、前記プリンターから出力される前記情報又は前記パーソナルコンピュータのモニタに表示される前記情報に基づいて前記不足薬品容器を取り揃えて、前記取り揃え支援システム１が設置されている病棟へと届けることができる。
【００７６】
なお、他の実施形態では、前記注射箋データが示す前記取り揃え対象薬品容器の中に、前記不足薬品容器に加えて前記未配置薬品も含まれる場合に、前記制御部１６は、前記不足薬品容器の種類及び不足数を示す情報に加えて前記未配置薬品の種類及び必要数を示す情報を出力してもよい。
【００７７】
前記ステップＳ１７の処理が終了すると、前記制御部１６は、処理を前記ステップＳ１１に移行させる。すなわち、前記取り揃え対象薬品容器の中に前記不足薬品容器が含まれる場合は、後述の指示払出処理（Ｓ２２）は実行されない。よって、取り揃え業務における薬品容器Ｍの紛失又は盗難を抑制するとともに作業者の手間を軽減することが可能である。
【００７８】
なお、他の実施形態では、前記注射箋データが示す前記取り揃え対象薬品容器の中に前記不足薬品容器が含まれる場合に、前記制御部１６は、図９に示される前記第１確認画面Ｐ３のように前記不足薬品容器の補充を促す通知を行った後に、前記機械薬品の補充作業を支援するための補充処理画面（不図示）を操作パネル１１に表示させてもよい。もしくは、前記注射箋データが示す前記取り揃え対象薬品容器の中に前記不足薬品容器が含まれる場合に、前記制御部１６は、前記機械薬品の補充作業を支援するための補充処理画面（不図示）を操作パネル１１に表示するとともに、前記不足薬品容器の補充を促す通知を行ってもよい。
【００７９】
＜ステップＳ１８＞
一方、ステップＳ１８において、前記制御部１６は、前記ステップＳ１４で取得された前記注射箋データが示す前記取り揃え対象薬品容器の中に、前記管理対象外薬品容器（未配置薬品）が含まれるか否かを判断する。そして、前記取り揃え対象薬品容器の中に前記管理対象外薬品容器が含まれると判断されると（Ｓ１８：Ｙｅｓ）、前記制御部１６は、処理をステップＳ１９に移行させる。一方、前記取り揃え対象薬品容器の中に前記管理対象外薬品容器が含まれないと判断されると（Ｓ１８：Ｎｏ）、前記制御部１６は、処理をステップＳ２２に移行させる。
【００８０】
＜ステップＳ１９＞
ステップＳ１９において、前記制御部１６は、前記操作パネル１１に第２確認画面Ｐ４を表示させる。図１１は、前記第２確認画面Ｐ４の一例を示す図である。前記第２確認画面Ｐ４には、前記管理対象外薬品容器（未配置薬品）が取り揃え済みであるか否かを問い合わせるメッセージと、操作キーＫ４１と、操作キーＫ４２とが含まれる。当該ステップＳ１９の処理は、前記制御部１６の前記制限処理部１６４により実行される。
【００８１】
＜ステップＳ２０＞
ステップＳ２０において、前記制御部１６は、前記管理対象外薬品容器が取り揃え済みであるか否かを判断する。具体的に、前記制御部１６は、前記第２確認画面Ｐ４において前記操作キーＫ４１が操作された場合に、前記管理対象外薬品容器が取り揃え済みであると判断する。また、前記制御部１６は、前記第２確認画面Ｐ４において前記操作キーＫ４２が操作された場合に、前記管理対象外薬品容器が取り揃え済みではないと判断する。なお、前記制御部１６は、前記管理対象外薬品容器に表示されているバーコードがバーコードリーダー１２により読み取られた場合に、前記管理対象外薬品容器が取り揃え済みであると判断してもよい。そして、前記管理対象外薬品容器が取り揃え済みであると判断されると（Ｓ２０：Ｙｅｓ）、前記制御部１６は、処理をステップＳ２２に移行させる。一方、前記管理対象外薬品容器が取り揃え済みではないと判断されると（Ｓ２０：Ｎｏ）、前記制御部１６は、処理をステップＳ２１に移行させる。当該ステップＳ２０の処理は、前記制御部１６の前記判定処理部１６６により実行される。
【００８２】
なお、他の実施形態では、前記注射箋データが示す前記取り揃え対象薬品容器の中に前記未配置薬品が含まれる場合に、前記制御部１６は、操作パネル１１又は音声によって、前記未配置薬品に表示されているバーコードの読み取りを促す通知を行ってもよい。
【００８３】
＜ステップＳ２１＞
ステップＳ２１において、前記制御部１６は、プリンター１４を制御して、前記管理対象外薬品容器の種類及び必要数を示す情報をシートにプリントする。例えば、前記制御部１６は、図１０に示される注射薬不足票Ｓｈをプリンター１４から出力させる。これにより、作業者は、前記注射薬不足票を見ながら、前記管理対象外薬品容器が保管されている保管場所（例えば、薬剤部又は他の病棟など）から前記管理対象外薬品容器を取ってきて、前記管理対象外薬品容器を取り揃えることができる。当該ステップＳ２１の処理は、前記制御部１６の前記出力処理部１６７により実行される。
【００８４】
なお、前記制御部１６は、前記管理対象外薬品容器の種類及び必要数を示す情報を、ＬＡＮ又はインターネットなどの通信網を通じて、薬剤部に設置されているプリンター又はパーソナルコンピュータに送信してもよい。これにより、薬剤部にいる薬剤師は、前記プリンターから出力される前記情報又は前記パーソナルコンピュータのモニタに表示される前記情報に基づいて前記管理対象外薬品容器を取り揃えて、前記取り揃え支援システム１が設置されている病棟へと届けることができる。
【００８５】
前記ステップＳ２１の処理が終了すると、前記制御部１６は、処理を前記ステップＳ１１に移行させる。すなわち、前記取り揃え対象薬品容器の中に前記管理対象外薬品容器が含まれており、且つ前記管理対象外薬品容器がまだ取り揃えられていない場合は、後述の指示払出処理（Ｓ２２）は実行されない。よって、取り揃え業務における薬品容器Ｍの紛失又は盗難を抑制するとともに作業者の手間を軽減することが可能である。
【００８６】
＜ステップＳ２２＞
一方、ステップＳ２２において、前記制御部１６は、指示払出処理を実行する。前記指示払出処理は、前記取り揃え確認処理の一例である。当該ステップＳ２２の処理は、前記制御部１６の前記取り揃え確認処理部１６３により実行される。以下、図６を参照しつつ、前記指示払出処理について説明する。
【００８７】
＜ステップＳ３１＞
まず、ステップＳ３１において、前記制御部１６は、前記操作パネル１１に指示払出業務画面Ｐ５を表示させる。図１２は、前記指示払出業務画面Ｐ５の一例を示す図である。前記指示払出業務画面Ｐ５には、前記ログイン中ユーザー表示領域Ａ１、前記メッセージ表示領域Ａ２、操作キーＫ５１、操作キーＫ５２などが含まれる。
【００８８】
前記指示払出業務画面Ｐ５には、前記ステップＳ１４で取得された前記注射箋データが示す前記取り揃え対象薬品容器ごとに、「区分」、「薬品名」、「処方」、「必要」、「払済」、「未払」、「在庫」などの情報が表示される。前記「区分」及び前記「薬品名」は、前記管理対象薬品容器情報Ｄ１（図４）における「区分」及び「薬品名」と同じ情報である。前記「処方」は、前記注射箋データに示されている前記取り揃え対象薬品容器の個数である。前記「必要」は、取り揃え業務で取り揃えるべき前記取り揃え対象薬品容器の個数である。前記「払済」は、すでに取り揃えたことが確認されている前記取り揃え対象薬品容器の個数である。前記「未払」は、取り揃え業務で取り揃えるべき前記取り揃え対象薬品容器の個数から、すでに取り揃えたことが確認されている個数を引いたものである。前記「在庫」は、前記取り揃え対象薬品容器の在庫数（すなわち、前記在庫管理処理部１６１により管理されている在庫数）である。
【００８９】
なお、前記指示払出業務画面Ｐ５に表示されている前記取り揃え対象薬品容器のうち、いずれかの薬品容器Ｍの表示欄が作業者によりタッチされると、当該薬品容器Ｍが選択された状態となる。例えば、図１２に示される前記指示払出業務画面Ｐ５では、「アイソボリン点滴静注用２５ｍｇ」が選択された状態となっている。この状態で操作キーＫ５１が操作されると、前記制御部１６は、「アイソボリン点滴静注用２５ｍｇ」のアンプルに表示されているバーコードを読み込むように促すメッセージを操作パネル１１又は音声により出力してもよい。また、前記機械薬品が選択された状態で操作キーＫ５１が操作されると、前記制御部１６は、前記機械薬品に対応するＬＥＤ２１２を点灯させてもよい。これにより、作業者は、前記薬品容器収容部１５又は前記薬品容器収容部５５に収容されている多数の前記機械薬品の中から、取り出すべき前記機械薬品を容易に見つけることができる。また、前記未配置薬品が選択された状態で操作キーＫ５１が操作されると、前記制御部１６は、前記未配置薬品に表示されているバーコードを読み込むように促すメッセージを操作パネル１１又は音声により出力してもよい。
【００９０】
＜ステップＳ３２＞
ステップＳ３２において、前記制御部１６は、前記薬品容器収容部１５又は前記薬品容器収容部５５から前記機械薬品が取り出されたか否かを判断する。具体的に、前記制御部１６は、前記薬品容器収容部１５又は前記薬品容器収容部５５に設けられている前記計数部２１１からの信号に基づいて、前記薬品容器収容部１５又は前記薬品容器収容部５５から前記機械薬品が取り出されたか否かを判断する。そして、前記薬品容器収容部１５又は前記薬品容器収容部５５から前記機械薬品が取り出されたと判断されると（Ｓ３２：Ｙｅｓ）、前記制御部１６は、処理をステップＳ３３に移行させる。一方、前記薬品容器収容部１５又は前記薬品容器収容部５５から前記機械薬品が取り出されていないと判断されると（Ｓ３２：Ｎｏ）、前記制御部１６は、処理をステップＳ３４に移行させる。
【００９１】
＜ステップＳ３３＞
ステップＳ３３において、前記制御部１６は、前記機械薬品に関する情報を更新する。具体的に、前記制御部１６は、前記管理対象薬品容器情報Ｄ１における前記機械薬品の「在庫数」の情報を更新する。当該処理は、前記制御部１６の前記在庫管理処理部１６１により実行される。また、前記制御部１６は、前記指示払出業務画面Ｐ５に表示されている前記機械薬品の「払済」、「未払」、及び「在庫」の情報を更新する。そして、前記制御部１６は、処理をステップＳ３４に移行させる。
【００９２】
なお、前記薬品容器収容部１５又は前記薬品容器収容部５５から取り出された前記機械薬品が、前記注射箋データが示す前記取り揃え対象薬品容器ではない場合、前記制御部１６は、操作パネル１１又は音声により作業者にその旨を警告してもよい。
【００９３】
＜ステップＳ３４＞
ステップＳ３４において、前記制御部１６は、前記手払出薬品の識別情報が入力されたか否かを判断する。具体的に、前記制御部１６は、バーコードリーダー１２により読み取られたバーコードが示す識別情報又は作業者により手入力された識別情報と、前記注射箋データに含まれる前記手払出薬品の識別情報とを照合し、両者が一致する場合に、前記手払出薬品の識別情報が入力されたと判断する。そして、前記手払出薬品の識別情報が入力されたと判断されると（Ｓ３４：Ｙｅｓ）、前記制御部１６は、処理をステップＳ３５に移行させる。一方、前記手払出薬品の識別情報が入力されていないと判断されると（Ｓ３４：Ｎｏ）、前記制御部１６は、処理をステップＳ３６に移行させる。
【００９４】
＜ステップＳ３５＞
ステップＳ３５において、前記制御部１６は、前記手払出薬品に関する情報を更新する。具体的に、前記制御部１６は、前記管理対象薬品容器情報Ｄ１における前記手払出薬品の「在庫数」の情報を更新する。当該処理は、前記制御部１６の前記在庫管理処理部１６１により実行される。また、前記制御部１６は、前記指示払出業務画面Ｐ５に表示されている前記手払出薬品の「払済」、「未払」、及び「在庫」の情報を更新する。そして、前記制御部１６は、処理をステップＳ３６に移行させる。
【００９５】
なお、入力された識別情報に対応する前記手払出薬品が、前記注射箋データが示す前記取り揃え対象薬品容器ではない場合、前記制御部１６は、操作パネル１１又は音声により作業者にその旨を警告してもよい。
【００９６】
＜ステップＳ３６＞
ステップＳ３６において、前記制御部１６は、前記未配置薬品（管理対象外薬品容器）の識別情報が入力されたか否かを判断する。具体的に、前記制御部１６は、バーコードリーダー１２により読み取られたバーコードが示す識別情報又は作業者により手入力された識別情報と、前記注射箋データに含まれる前記未配置薬品の識別情報とを照合し、両者が一致する場合に、前記未配置薬品の識別情報が入力されたと判断する。そして、前記未配置薬品の識別情報が入力されたと判断されると（Ｓ３６：Ｙｅｓ）、前記制御部１６は、処理をステップＳ３７に移行させる。一方、前記未配置薬品の識別情報が入力されていないと判断されると（Ｓ３６：Ｎｏ）、前記制御部１６は、処理をステップＳ３８に移行させる。
【００９７】
＜ステップＳ３７＞
ステップＳ３７において、前記制御部１６は、前記手払出薬品に関する情報を更新する。具体的に、前記制御部１６は、前記指示払出業務画面Ｐ５に表示されている前記未配置薬品の「払済」及び「未払」の情報を更新する。例えば、図１２に示される前記指示払出業務画面Ｐ５では、「ソルデム３ＡＧ輸液５００ｍＬ」のアンプルの「払済」は「０」となっており、「未払」は「１」となっている。この状態から、「ソルデム３ＡＧ輸液５００ｍＬ」のアンプルに表示されているバーコードが読み取られると、図１３に示される前記指示払出業務画面Ｐ５のように、「ソルデム３ＡＧ輸液５００ｍＬ」のアンプルの「払済」が「１」に更新され、「未払」が「０」に更新される。そして、前記制御部１６は、処理をステップＳ３８に移行させる。
【００９８】
なお、入力された識別情報に対応する前記未配置薬品が、前記注射箋データが示す前記取り揃え対象薬品容器ではない場合、前記制御部１６は、操作パネル１１又は音声により作業者にその旨を警告してもよい。
【００９９】
なお、本実施形態では、前記未配置薬品の識別情報が入力されたことに応じて、前記未配置薬品の「払済」の情報が更新されるが、本発明はこれに限定されない。他の実施形態では、前記未配置薬品が取り揃えられた場合に、作業者が、前記未配置薬品の「払済」の情報を、例えばテンキー型の操作キーＫ５３（図１４参照）を用いて手入力で更新してもよい。この場合、前記制御部１６の前記取り揃え確認処理部１６３は、作業者によって更新された前記未配置薬品の「払済」の値に基づいて、前記未配置薬品が取り揃えられたかどうかを確認することが可能である。
【０１００】
＜ステップＳ３８＞
ステップＳ３８において、前記制御部１６は、業務終了操作が行われたか否かを判断する。具体的に、前記制御部１６は、前記指示払出業務画面Ｐ５に含まれる前記操作キーＫ５２が操作された場合に、前記業務終了操作が行われたと判断する。そして、前記業務終了操作が行われたと判断されると（Ｓ３８：Ｙｅｓ）、前記制御部１６は、処理をステップＳ３９に移行させる。一方、前記業務終了操作が行われていないと判断されると（Ｓ３８：Ｎｏ）、前記制御部１６は、処理を前記ステップＳ３２に移行させる。
【０１０１】
＜ステップＳ３９＞
ステップＳ３９において、前記制御部１６は、前記注射箋データが示す全ての前記取り揃え対象薬品容器が取り揃え済みであるか否かを判断する。具体的に、前記制御部１６は、前記指示払出業務画面Ｐ５に表示されている全ての前記取り揃え対象薬品容器の「未払」の値が「０」である場合に、前記注射箋データが示す全ての前記取り揃え対象薬品容器が取り揃え済みであると判断する。そして、前記注射箋データが示す全ての前記取り揃え対象薬品容器が取り揃え済みであると判断されると（Ｓ３８：Ｙｅｓ）、前記制御部１６は、前記指示払出処理を終了させる。そして、前記取り揃え支援処理が終了される。一方、前記注射箋データが示す前記取り揃え対象薬品容器の少なくとも一部がまだ取り揃えられていないと判断されると（Ｓ３８：Ｎｏ）、前記制御部１６は、処理をステップＳ４０に以降させる。
【０１０２】
＜ステップＳ４０＞
ステップＳ４０において、前記制御部１６は、前記注射箋データが示す前記取り揃え対象薬品容器のうち、まだ取り揃えられていない前記取り揃え対象薬品容器がある旨を操作パネル１１又は音声により作業者に通知する。このとき、前記制御部１６は、プリンター１４を制御して、まだ取り揃えられていない前記取り揃え対象薬品容器の種類及び個数の情報をシートに印刷してもよい。そして、前記制御部１６は、処理を前記ステップＳ３２に移行させる。
【０１０３】
以上のように、本実施形態に係る取り揃え支援システム１では、前記注射箋データが示す前記取り揃え対象薬品容器の中に前記不足薬品容器又は前記管理対象外薬品容器が含まれる場合に、前記取り揃え確認処理の実行が制限される。これにより、前記取り揃え業務において、前記取り揃え対象薬品容器の一部がすでに取り揃えられているにも関わらず前記取り揃え業務が完了できないような状況が発生してしまうことを抑制することができる。よって、本実施形態に係る取り揃え支援システム１によれば、取り揃え業務における薬品容器Ｍの紛失又は盗難を抑制するとともに作業者の手間を軽減することが可能である。
【０１０４】
なお、本実施形態では、薬品容器収容部１５又は薬品容器収容部５５に前記計数部２２１が設けられているが、他の実施形態では、薬品容器収容部１５又は薬品容器収容部５５に前記計数部２２１が設けられていなくてもよい。すなわち、薬品容器収容部１５又は薬品容器収容部５５に、前記機械薬品が保管されず、前記手払出薬品又は前記未配置薬品が保管されてもよい。
【０１０５】
また、他の実施形態では、前記制御部１６は、前記ステップＳ２２において前記指示払出処理が開始されるまでは前記薬品容器収容部１５の前記扉１５１及び前記薬品容器収容部５５の前記扉５５１を作業者が開けることができないように、前記電子ロック部１５２及び前記電子ロック部５５２を制御してもよい。これにより、前記薬品容器収容部１５又は前記薬品容器収容部５５から取り出された薬品容器Ｍが長期間その場に放置されてしまうことを抑制することができる。
【０１０６】
また、他の実施形態では、前記薬品容器収容部１５又は前記薬品容器収容部５５が、前記制御部１６からの制御信号に基づいて任意の薬品容器Ｍを自動的に払い出す自動払出機能を備えていてもよい。この場合、前記制御部１６は、前記ステップＳ２２において前記指示払出処理が開始されるまでは、前記薬品容器収容部１５又は前記薬品容器収容部５５から薬品容器Ｍを払い出さないようにしてもよい。これにより、前記薬品容器収容部１５又は前記薬品容器収容部５５から払い出された薬品容器Ｍが長期間その場に放置されてしまうことを抑制することができる。
【０１０７】
［他の実施形態］
以下、本発明の他の実施形態に係る種々の照合支援システム及び照合支援プログラムについて説明する。
【０１０８】
第１の照合支援システムは、
照合データ（例えば、前記注射箋データなど）によって照合対象として示された薬品容器Ｍについて、照合の準備（例えば、取り揃え）をしたことを受け付ける（例えば、図１１に示される前記第２確認画面Ｐ４における操作キーＫ４１の操作を受け付ける）受付手段（例えば、前記制御部１６）と、
照合の準備をしたことを前記受付手段が受け付けると、照合の準備をした薬品容器Ｍと前記照合データとを照合する（例えば、バーコードリーダー１２で読み取られるバーコードに含まれる識別情報と、照合対象として示された薬品容器Ｍに対応する識別情報とを照合する）ことが可能になる照合手段（例えば、前記制御部１６）と、
を備える、照合支援システムである。
【０１０９】
第１の照合支援プログラムは、一又は複数のプロセッサーを、前記受付手段及び前記照合手段として機能させる、照合支援プログラムである。
【０１１０】
なお、前記受付手段は、前記照合データによって照合対象として示された全ての薬品容器Ｍについて、照合の準備をしたことを受け付けてもよい、前記照合データによって照合対象として示された薬品容器Ｍのうち、少なくとも前記制限条件を満たす薬品容器Ｍ（例えば、前記未配置薬品など）について、照合の準備をしたことを受け付けてもよい。
【０１１１】
また、「照合の準備」には、薬品容器Ｍの準備に限らず、照合処理を行うための機器（例えば、バーコードリーダー１２の接続など）の準備も含まれてもよい。
【０１１２】
前記第１の照合支援システム又は前記第１の照合支援プログラムによれば、照合の準備ができていなければ照合ができないので、作業者による中途半端な薬品容器Ｍの取り出しを抑制することができる。よって、照合対象として示された複数の薬品容器Ｍのうちの一部のみが保管場所から取り出された状態で、長期間その場に放置されてしまうことを抑制することができる。
【０１１３】
第２の照合支援システムは、
照合データ（例えば、前記注射箋データなど）によって照合対象として示された薬品容器Ｍについて、照合の準備（例えば、取り揃え）をしたことを受け付ける（例えば、図１１に示される前記第２確認画面Ｐ４における操作キーＫ４１の操作を受け付ける）受付手段（例えば、前記制御部１６）と、
照合の準備をしたことを前記受付手段が受け付けると、前記照合データによって照合対象として示された薬品容器Ｍの一覧（例えば、図１２に示されるような薬品容器Ｍの一覧）を表示することが可能になる表示手段（例えば、前記制御部１６）と、
を備える、照合支援システムである。
【０１１４】
第２の照合支援プログラムは、一又は複数のプロセッサーを、前記受付手段及び前記表示手段として機能させる、照合支援プログラムである。
【０１１５】
前記第２の照合支援システム又は前記第２の照合支援プログラムによれば、照合の準備ができていなければ、照合対象として示された薬品容器Ｍの一覧が表示されないので、作業者による中途半端な薬品容器Ｍの取り出しを抑制することができる。よって、照合対象として示された複数の薬品容器Ｍのうちの一部のみが保管場所から取り出された状態で、長期間その場に放置されてしまうことを抑制することができる。
【０１１６】
第３の照合支援システムは、
各種薬品容器Ｍの保管状況（例えば、図４に示される「区分」の情報）を記憶する記憶手段（例えば、前記記憶部１７）と、
照合データ（例えば、前記注射箋データなど）によって照合対象として示された薬品容器Ｍのうち、保管状況が未配置薬品を示す薬品容器Ｍについて、照合の準備（例えば、取り揃え）をしたことを受け付ける（例えば、図１１に示される前記第２確認画面Ｐ４における操作キーＫ４１の操作を受け付ける）受付手段（例えば、前記制御部１６）と、
照合の準備をしたことを前記受付手段が受け付けると、前記照合データによって照合対象として示された薬品容器Ｍのうち、保管状況が未配置薬品を示さない薬品容器Ｍ（例えば、機械薬品又は手払出薬品）と前記照合データとを照合する（例えば、バーコードリーダー１２で読み取られるバーコードに含まれる識別情報と、照合対象として示された薬品容器Ｍに対応する識別情報とを照合する）ことが可能になる照合手段（例えば、前記制御部１６）と、
を備える、照合支援システムである。
【０１１７】
前記第３の照合支援システムによれば、前記未配置薬品の準備ができていなければ、前記未配置薬品ではない薬品容器Ｍの照合ができないので、作業者による中途半端な薬品容器Ｍの取り出しを抑制することができる。よって、照合対象として示された複数の薬品容器Ｍのうちの一部のみが保管場所から取り出された状態で、長期間その場に放置されてしまうことを抑制することができる。
【符号の説明】
【０１１８】
１    ：取り揃え支援システム
１０  ：本体ユニット
１１  ：操作パネル
１１１：表示部
１１２：タッチパネル
１２  ：バーコードリーダー
１３  ：指静脈認証装置
１４  ：プリンター
１５  ：薬品容器収容部
１５１：扉
１５２：電子ロック部
１６  ：制御部
１６１：在庫管理処理部
１６２：取得処理部
１６３：取り揃え確認処理部
１６４：制限処理部
１６５：補充通知処理部
１６６：判定処理部
１６７：出力処理部
１７  ：記憶部
１８  ：通信ＩＦ
２１  ：トレイ棚
２２  ：トレイ
２１１：計数部
２１２：ＬＥＤ
５０  ：薬品容器収容ユニット
５５  ：薬品容器収容部
５５１：扉
５５２：電子ロック部
【図１】
2019176982.tif 000003
【図２】
2019176982.tif 000004
【図３】
2019176982.tif 000005
【図４】
2019176982.tif 000006
【図５】
2019176982.tif 000007
【図６】
2019176982.tif 000008
【図７】
2019176982.tif 000009
【図８】
2019176982.tif 000010
【図９】
2019176982.tif 000011
【図１０】
2019176982.tif 000012
【図１１】
2019176982.tif 000013
【図１２】
2019176982.tif 000014
【図１３】
2019176982.tif 000015
【図１４】
2019176982.tif 000016